(57)【要約】      （修正有）【課題】熱交換管上にスライド体を載置することによって、効率的に粉塵を除去可能とすると共に、スライド体の取付容易性とメンテナンス容易性を実現した空気加熱装置における除塵装置を提供する。【解決手段】燃焼ガスが導入される空気加熱室内に、所定の縦列間隔及び所定の横列間隔で配管された熱交換管２と、熱交換管２に付着した塵を除去する除塵装置を備えた空気加熱装置の除塵装置であって、除塵装置は自重により熱交換管上に載せられた状態で配置されたロッド３０を備えており、前記ロッド３０はスライド駆動手段によって、熱交換管２上をスライドする構成とされ、ロッド３０とスライド駆動手段との連結部は、ロッド３０が上下動可能な状態で連結されている。【選択図】図５
2020003135.tif 000002
【特許請求の範囲】
【請求項１】
燃焼ガスが導入される空気加熱室と、その空気加熱室内に配置されて、所定の縦列間隔及び所定の横列間隔で配管された熱交換管と、その熱交換管に付着した塵を除去する除塵装置を備えた空気加熱装置の除塵装置であって、
前記除塵装置は自重により熱交換管上に載せられた状態で配置されたスライド体を備えており、
前記スライド体はスライド駆動手段によって、熱交換管上をスライドする構成とされていることを特徴とする空気加熱装置における除塵装置。
【請求項２】
スライド体とスライド駆動手段との連結部は、スライド体が上下動可能な状態で連結されていることを特徴とする請求項１記載の空気加熱装置における除塵装置。
【請求項３】
横列方向に並んだ複数の熱交換管上にかけ渡してスライド体を配設したことを特徴とする請求項１〜２いずれか記載の空気加熱装置における除塵装置。
【請求項４】
熱交換管の長さ方向に所定間隔をおいて複数のスライド体を配置し、
それぞれのスライド体が所定の領域をスライドして除塵する構成とした請求項１〜３いずれか記載の空気加熱装置における除塵装置。
【請求項５】
配管群の上方から下方にかけてリンクフレームを配設し、そのリンクフレームに上下方向に伸びる長孔を形成し、
その長孔にスライド体を遊嵌連結したことを特徴とする請求項１〜４いずれか記載の空気加熱装置における除塵装置。
【請求項６】
前記リンクフレームは回動アームに駆動されて、リンクフレーム自体が上下動しながらスライド体をスライドさせる構成とした請求項５記載の空気加熱装置における除塵装置。
【発明の詳細な説明】
【技術分野】
【０００１】
本発明は空気加熱装置における除塵装置に関し、特に、熱交換管上にスライド体を載置することによって、効率的に粉塵を除去可能とすると共に、スライド体の取付容易性とメンテナンス容易性を実現した空気加熱装置における除塵装置に関する。
【背景技術】
【０００２】
この種の空気加熱装置は、燃焼ガスを通過させる空気加熱室内に多数の熱交換管が一定の縦列間隔及び一定の横列間隔で配管された配管群が設けられ、この配管群を構成する各熱交換管内に流通させた空気を前記燃焼ガスの熱により加熱させるようになっている。
このような空気加熱装置では、燃焼ガスに含まれた粉塵が配管群を構成する熱交換管に付着し、熱交換効率を低下させてしまうという問題あった。
【０００３】
従来、熱交換管に付着した粉塵を除去するための除塵装置としては、例えば、配管群の
縦列間隔内を上下方向に通るように垂直部材（紐状体）を設け、この垂直部材を熱交換管の延長方向に往復移動させることにより、熱交換管の側面側に付着した粉塵を掻き取って除去するようにしたものが知られている（特許文献１参照） 。
そのほか、各熱交換管にエアーを吹き付けて粉塵を吹き飛ばすことで除去するようにしたものもある。
【先行技術文献】
【特許文献】
【０００４】
【特許文献１】特開２００１−２４１８８６号公報
【発明の概要】
【発明が解決しようとする課題】
【０００５】
しかしながら、特許文献１のように、配管群の縦列間隔内を上下方向に通るように垂直部材を設けたものでは、垂直部材が熱交換管の延長方向に往復移動することによって熱交換管の側面側に付着した粉塵を除去できるが、熱交換管の上面側や下面側に付着した粉塵を除去することができない。
特に、粉塵は熱交換管の上面側に多く付着するもので、これを除去しないままにしておくと、配管群の横列間隔が粉塵によって塞がれてしまうことがあり、熱交換管による熱交換効率を著しく低下させるばかりでなく、燃焼ガスの流通に乱れを生じさせてしまうという問題があった。
なお、各熱交換管にエアーを吹き付けて粉塵を吹き飛ばすようにしたものでは、各熱交換管に向けて空気吹出口を設ける必要があるなど、その設備が複雑になるし、メンテナンスに手間を要するという問題があった。
本発明は、かかる従来の問題を解決するためになされたもので、その目的とするところは、熱交換管上にスライド体を載置することによって、効率的に粉塵を除去可能とすると共に、スライド体の取付容易性とメンテナンス容易性を実現した空気加熱装置における除塵装置を提供することにある。
【課題を解決するための手段】
【０００６】
前記目的を達成するための手段として請求項１記載の空気加熱装置における除塵装置では、燃焼ガスが導入される空気加熱室と、その空気加熱室内に配置されて、所定の縦列間隔及び所定の横列間隔で配管された熱交換管と、その熱交換管に付着した塵を除去する除塵手段を備えた空気加熱装置の除塵装置であって、前記除塵手段は自重により熱交換管上に載せられた状態で配置されたスライド体を備えており、前記スライド体はスライド駆動手段によって、熱交換管上をスライドする構成とされていることを特徴とする。
【０００７】
請求項２記載の空気加熱装置における除塵装置では、請求項１記載の発明において、スライド体とスライド駆動手段との連結部は、スライド体が上下動可能な状態で連結されていることを特徴とする。
【０００８】
請求項３記載の空気加熱装置における除塵装置では、請求項１〜２いずれか記載の発明において、横列方向に並んだ複数の熱交換管上にかけ渡してスライド体を配設したことを特徴とする。
【０００９】
請求項４記載の空気加熱装置における除塵装置では、請求項１〜３いずれか記載の発明において、熱交換管の長さ方向に所定間隔をおいて複数のスライド体を配置し、それぞれのスライド体が所定の領域をスライドして除塵する構成とした。
【００１０】
請求項５記載の空気加熱装置における除塵装置では、請求項１〜４いずれか記載の発明において、配管群の上方から下方にかけてリンクフレームを配設し、そのリンクフレームに上下方向に伸びる長孔を形成し、その長孔にスライド体を遊嵌連結したことを特徴とする。
【００１１】
請求項６記載の空気加熱装置における除塵装置では、請求項５記載の発明において、前記リンクフレームは回動アームに駆動されて、リンクフレーム自体が上下動しながらスライド体をスライドさせる構成とした。
【発明の効果】
【００１２】
本発明請求項１記載の空気加熱装置における除塵装置では、除塵装置は自重により熱交換管上に載せられた状態で配置されたスライド体を備え、そのスライド体はスライド駆動手段によって、熱交換管上をスライドする構成とされているので、配管に付着した粉塵を掻きとるように除去することができる。
【００１３】
請求項２記載の空気加熱装置における除塵装置では、スライド体とスライド駆動手段との連結部は、スライド体が上下動可能な状態で連結されているので、スライド体の自重が常に熱交換上に掛かった状態とされる。
また、スライド体とスライド駆動手段を固着しないので、取り付けが容易であると共に、長時間の運転によっても連結部にひずみが生じることはなく、メンテナンスが容易である。
【００１４】
請求項３記載の空気加熱装置における除塵装置では、横列方向に並んだ複数の熱交換管上にかけ渡してスライド体を配設したので、同時に複数の熱交換管の除塵を行うことができる。
【００１５】
請求項４記載の空気加熱装置における除塵装置では、熱交換管の長さ方向に所定間隔をおいて複数のスライド体を配置し、それぞれのスライド体が所定の領域をスライドして除塵する構成としたので、スライド体が１本の場合よりも除塵を素早く行うことができる。
【００１６】
請求項５記載の空気加熱装置における除塵装置では、配管群の上方から下方にかけてリンクフレームを配設し、そのリンクフレームに上下方向に伸びる長孔を形成し、その長孔にスライド体を遊嵌連結したので、スライド体の取り付けが容易であり、加えて、連結部のひずみ調整等のメンテナンスが不要である。
【００１７】
請求項６記載の空気加熱装置における除塵装置では、前記リンクフレームは回動アームに駆動されて、リンクフレーム自体が上下動しながらスライド体をスライドさせる構成としたので、スライド体とスライド駆動手段の連結部は常に動き、そのため粉塵が連結部に詰まりにくい。
【図面の簡単な説明】
【００１８】
【図１】熱交換管・リンクフレーム・除塵装置を示す側面図である。
【図２】熱交換管・リンクフレーム・除塵装置を示す正面図である。
【図３】空気加熱装置における除塵装置の平面図である。
【図４】熱交換管とロッドの配置状態を示す斜視図である。
【図５】除塵装置の上部アーム部の拡大正面図である。
【図６】除塵装置の下部アーム部の拡大正面図である。
【図７】除塵装置の上部アーム部の拡大側面図である。
【図８】除塵装置の下部アーム部の拡大側面図である。
【図９】空気加熱装置を備えた焼却施設の説明図である。
【発明を実施するための形態】
【００１９】
本実施例の空気加熱装置１は、図９に示すように、ごみ焼却施設としてのストーカ炉８０に設けた排ガス冷却・排ガス処理系８１の途中に組み込まれている。
前記ストーカ炉８０は、ごみピット８２に貯留したごみをごみホッパ８３に投入し、燃焼装置下部より空気を供給して、火格子（ストーカ）上で乾燥・加熱し、攪拌・移動させ、燃焼させるようになっている。
【００２０】
前記ストーカ炉８０で燃焼に伴って生じた燃焼排ガスは、再燃焼室８４、燃焼ガス冷却室８５、空気加熱室８６、減温塔８７、集塵装置８８が設けられ、これらの燃焼ガスを順に通過させ、誘引送風機８９を経たのち最終的に排気ガスとして煙突９０から外気へ放出させるようになっている。
【００２１】
前記空気加熱装置１は、図１〜図８で示すように、多数の熱交換管２が一定の縦列間隔及び一定の横列間隔で配管された配管群１１、１２、１３，１４，１５，１６が空気加熱室８６内に設けられている。
この実施例では、空気加熱室８６内に第１配管群１１、第２配管群１２、第３配管群１ ３、第４配管群１４、第５配管群１５、第６配管群１６とが上下方向に６段に設けられている。
前記第１配管群１１〜第６管群１６は、それぞれ上下に隣接すると共に、縦列間隔及び横列間隔が同一に形成され、第１配管群１１〜第６配管群１６を構成する各熱交換管２の管径・管長も同一に形成されている。
【００２２】
又、図１で示すように、第１配管群１１を構成する各熱交換管２の一端口（右端口）を覆うように送風導入ダクト２０ が設けられ、第１配管群１１を構成する各熱交換管２の他端口（左端口） 及び第２配管群 １２を構成する各熱交換管２の他端口（左端口）を跨って覆うように第２連通ダクト２１が設けられ、第２配管群１２を構成する各熱交換管２の一端口（右端口）及び第３配管群１３を構成する各熱交換管２の一端口（右端口）を跨って覆うように第２連通ダクト２２が設けられ、第３配管群１３を構成する各熱交換管２の他端口（左端口） 及び第４配管群１４を構成する各熱交換管２の他端口（左端口）を跨って覆うように第３連通ダクト２３が設けられ、第４配管群１４を構成する各熱交換管２の一端口（右端口）及び第５配管群１５を構成する各熱交換管２の一端口（右端口）を跨って覆うように第４連通ダクト２４が設けられ、第５配管群１５を構成する各熱交換管２の他端口（左端口）及び第６配管群１６を構成する各熱交換管２の他端口（左端口）を跨って覆うように第５連通ダクト２５が設けられ、第６配管群１６を構成する各熱交換管２の他端口（右端口）を覆うように排出ダクト２６が設けられている。
【００２３】
そして、前記送風導入ダクト２０に送風機から空気を供給して、その空気を、第１配管群１１→第１連通ダクト２１→第２配管群１２→第２連通ダクト２２→第３配管群１３→第３連通ダクト２３→第４配管群１４→第４連通ダクト２４→第５配管群１５→第５連通ダクト２５→第６配管群１６→排出ダクト２６の順に流通させるようになっている。
【００２４】
前記空気加熱室８６内には、前記再燃焼室８４によって燃焼された後の燃焼ガスが前記燃焼ガス冷却室８５を経て下方から上方に向けて流動するように導入されるもので、この燃焼ガスの熱との熱交換によって前記空気加熱装置1を流通する空気を加熱、その加熱空気を前記ストーカ炉８０の燃焼空気として利用している。
なお、前記空気加熱室８６を通過した燃焼ガスは、空気加熱装置１に供給した空気との熱交換、その後減温塔８７による水噴霧により排ガス温度が低下するため、後続の集塵装置８８へは、温度が低下した状態で燃焼ガスを供給することができる。
【００２５】
空気加熱装置１には、各配管群を構成する熱交換管に付着した粉塵を除去するための除塵装置が設けられている。
この除塵装置は熱交換管上を往復動するスライド体と、そのスライド体を往復駆動するスライド駆動手段を備えている。
【００２６】
前記スライド体は金属製丸棒状のロッド３０から構成されている。
このロッド３０は熱交換管２と直交する方向にかけ渡されている。そして、水平方向に並列した熱交換管２の上に配置されている。
ロッドはそれぞれの水平段に所定間隔をおいて４本挿通されている（図３参照）。
ロッドは自重により熱交換管上に載置されており、そのため熱交換管の上側に接した状態とされている。
【００２７】
スライド駆動手段は電動シリンダ３１と、その電動シリンダによって所定のストロークを往復するピストン３２と、そのピストン３２の往復動によって回動する回動軸３３と、その回動軸３３から突設されたアーム３４と、そのアーム３４に連結されたリンクフレーム３５を備えている。
ピストン３２はエアーシリンダ、油圧シリンダによる駆動機構とすることも可能である。
電動シリンダ３１、ピストン３２、回動軸３３、アーム３４は空気加熱装置１の上部及び下部にそれぞれ配置されている。
【００２８】
前記回動軸３３は空気加熱装置内の配管群の上側と下側に配管群と直交方向にかけ渡されている。本実施例では上側及び下側にそれぞれ４本の回動軸３３が配置されている。
【００２９】
前記回動軸３３からは、それぞれ配管群へ向かって３か所にアーム３４が突設されている。すなわち、配管群の左右両端に位置する部位と、配管群の中央に位置する部位にアーム３４が突設されている。
回動軸から突設されたアーム３４はその先端がリンクフレーム３５に連結されており、ピストン３２の往復動を受けてその回転動力をリンクフレーム３５に伝達する。
【００３０】
リンクフレーム３５は配管群の上下へかけて垂直方向に配設されており、配管群の左右側面と中央の３か所に配置されている。すなわち、配管群の左右側面と中央の３か所に設けられた一連のリンクフレーム３５が４本の回動軸３３にそれぞれ備えられて、４連リンクフレーム３５のスライド機構を構成している。
リンクフレーム３５の上端及び下端はアーム３４に連結されており、アーム３４の回動に伴って上下動しながら水平方向にスライドする。
リンクフレーム３５の上端はアーム３４に軸支されているが、下端は長孔３６を介してアーム３４に連結されている（図８参照）。このためアーム３４が長孔３６をスライドしてリンクフレーム３５の上下動を許容する。
【００３１】
リンクフレーム３５の中央には長さ方向にわたって長孔３７が形成されている。この長孔３７はＬ型の長鋼材を繋ぎ合わせて中央に長い隙間を形成したものである（図４参照）。
この長孔３７を介してロッド３０が連結されており、ロッド３０の両端は抜けないようにナット３８留めされ、ロッド３０は上下動可能な状態で長孔３７に挟まれている。
このため、ロッド３０は鉛直方向に遊動可能とされ、ロッド３０の自重が熱交換管２の上に掛かり、ロッド３０が熱交換管２の上に接した状態とされている。
なお、長孔３７の形成方法としては、長鋼材に切削加工を施して長孔を形成することも可能である。
【００３２】
次に本発明の作用を説明する。
電動シリンダ３１を作動させると同期して上下のピストン３２がスライドし、これに伴い４本の回動軸３３が回動する。
回動軸３３にはそれぞれアーム３４が突設されているので、このアーム３４がリンクフレーム３５をスライドさせる。
このとき、アーム３４は円弧を描いて回動するので、この回動軌跡に従ってリンクフレーム３５が上下動しながらスライドする。
リンクフレーム３５には長孔３７を介してロッド３０が連結されているので、ロッド３０は熱交換管２の上に載った状態でスライドし、ロッド３０の自重により粉塵が掻きとられるように除去される。
熱交換管２の水平段には各４本のロッド３０が配置されているので、それぞれ４本のロッド３０が所定の領域をスライドして効率的に粉塵を除去する。
リンクフレーム３５自体が上下動しながらスライド体（ロッド３０）をスライドさせるので、スライド体（ロッド３０）とスライド駆動手段の連結部分の粉塵も除去され、スライド体（ロッド３０）の自重が熱交換管上に掛かった状態が維持される。
ロッド３０はリンクフレーム３５に挟まれた状態とされているが、固定されてはいないため、ロッド３０の装着取り付けが容易であり、装置の長期運転や熱によっても歪みを生じにくく、取り付け位置誤差修正等の手間が省略される。
【００３３】
以上、本発明の実施例を説明したが、本発明の具体的な構成はこの実施例に限定されるものではなく、発明の要旨を逸脱しない範囲における設定変更等があっても本発明に含まれる。
例えば、前記実施例ではスライド体としてロッド３０を採用したが、スライド体の形状は特に限定されるものではなく、他の形状を採用する場合であっても本発明に含まれる。
【符号の説明】
【００３４】
１  空気加熱装置
２  熱交換管
１１  第１配管群
１２  第２配管群
１３  第３配管群
１４  第４配管群
１５  第５配管群
１６  第６配管群
２０  送風導入ダクト
２１  第１連通ダクト
２２  第２連通ダクト
２３  第３連通ダクト
２４  第４連通ダクト
２５  第５連通ダクト
２６  排出ダクト
３０  ロッド
３１  電動シリンダ
３２  ピストン
３３  回動軸
３４  アーム
３５  リンクフレーム
３６  長孔
３７  長孔
３８  ナット
８０  ストーカ炉
８１  排ガス処理系
８２  ごみピット
８３  ごみポッパ
８４  再燃焼室
８５  燃焼ガス冷却室
８６  空気加熱室
８７  減温塔
８８  集塵装置
８９  誘引送風機
９０  煙突
【図１】
2020003135.tif 000003
【図２】
2020003135.tif 000004
【図３】
2020003135.tif 000005
【図４】
2020003135.tif 000006
【図５】
2020003135.tif 000007
【図６】
2020003135.tif 000008
【図７】
2020003135.tif 000009
【図８】
2020003135.tif 000010
【図９】
2020003135.tif 000011
【手続補正書】
【提出日】令和1年7月12日(2019.7.12)
【手続補正１】
【補正対象書類名】特許請求の範囲
【補正対象項目名】全文
【補正方法】変更
【補正の内容】
【特許請求の範囲】
【請求項１】
燃焼ガスが導入される空気加熱室と、その空気加熱室内に配置されて、所定の縦列間隔及び所定の横列間隔で配管された熱交換管と、その熱交換管に付着した塵を除去する除塵装置を備えた空気加熱装置において、
前記除塵装置は自重により熱交換管上に載せられた状態で配置されたスライド体を備えており、
前記スライド体はスライド駆動手段によって、熱交換管上をスライドする構成とされ、
スライド体とスライド駆動手段との連結部は、スライド体が上下動可能な状態で連結され、
配管群の上方から下方にかけてリンクフレームを配設し、そのリンクフレームに上下方向に伸びる長孔を形成し、
その長孔にスライド体を遊嵌連結し、
前記リンクフレームは回動アームに駆動されて、リンクフレーム自体が上下動しながらスライド体をスライドさせる構成としたことを特徴とする空気加熱装置における除塵装置。
【請求項２】
横列方向に並んだ複数の熱交換管上にかけ渡してスライド体を配設したことを特徴とする請求項１記載の空気加熱装置における除塵装置。
【請求項３】
熱交換管の長さ方向に所定間隔をおいて複数のスライド体を配置し、
それぞれのスライド体が所定の領域をスライドして除塵する構成とした請求項１〜２いずれか記載の空気加熱装置における除塵装置。
【手続補正２】
【補正対象書類名】明細書
【補正対象項目名】０００６
【補正方法】変更
【補正の内容】
【０００６】
前記目的を達成するための手段として請求項１記載の空気加熱装置における除塵装置では、燃焼ガスが導入される空気加熱室と、その空気加熱室内に配置されて、所定の縦列間隔及び所定の横列間隔で配管された熱交換管と、その熱交換管に付着した塵を除去する除塵装置を備えた空気加熱装置において、前記除塵装置は自重により熱交換管上に載せられた状態で配置されたスライド体を備えており、前記スライド体はスライド駆動手段によって、熱交換管上をスライドする構成とされ、スライド体とスライド駆動手段との連結部は、スライド体が上下動可能な状態で連結され、配管群の上方から下方にかけてリンクフレームを配設し、そのリンクフレームに上下方向に伸びる長孔を形成し、その長孔にスライド体を遊嵌連結し、前記リンクフレームは回動アームに駆動されて、リンクフレーム自体が上下動しながらスライド体をスライドさせる構成としたことを特徴とする。
【手続補正３】
【補正対象書類名】明細書
【補正対象項目名】０００７
【補正方法】変更
【補正の内容】
【０００７】
請求項２記載の空気加熱装置における除塵装置では、請求項１記載の発明において、横列方向に並んだ複数の熱交換管上にかけ渡してスライド体を配設したことを特徴とする。
【手続補正４】
【補正対象書類名】明細書
【補正対象項目名】０００８
【補正方法】変更
【補正の内容】
【０００８】
請求項３記載の空気加熱装置における除塵装置では、請求項１〜２いずれか記載の発明において、熱交換管の長さ方向に所定間隔をおいて複数のスライド体を配置し、それぞれのスライド体が所定の領域をスライドして除塵する構成とした。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１３
【補正方法】変更
【補正の内容】
【００１３】
請求項１記載の空気加熱装置における除塵装置では、スライド体とスライド駆動手段との連結部は、スライド体が上下動可能な状態で連結されているので、スライド体の自重が常に熱交換上に掛かった状態とされる。
また、スライド体とスライド駆動手段を固着しないので、取り付けが容易であると共に、長時間の運転によっても連結部にひずみが生じることはなく、メンテナンスが容易である。
【手続補正９】
【補正対象書類名】明細書
【補正対象項目名】００１４
【補正方法】変更
【補正の内容】
【００１４】
請求項２記載の空気加熱装置における除塵装置では、横列方向に並んだ複数の熱交換管上にかけ渡してスライド体を配設したので、同時に複数の熱交換管の除塵を行うことができる。
【手続補正１０】
【補正対象書類名】明細書
【補正対象項目名】００１５
【補正方法】変更
【補正の内容】
【００１５】
請求項３記載の空気加熱装置における除塵装置では、熱交換管の長さ方向に所定間隔をおいて複数のスライド体を配置し、それぞれのスライド体が所定の領域をスライドして除塵する構成としたので、スライド体が１本の場合よりも除塵を素早く行うことができる。
【手続補正１１】
【補正対象書類名】明細書
【補正対象項目名】００１６
【補正方法】変更
【補正の内容】
【００１６】
請求項１記載の空気加熱装置における除塵装置では、配管群の上方から下方にかけてリンクフレームを配設し、そのリンクフレームに上下方向に伸びる長孔を形成し、その長孔にスライド体を遊嵌連結したので、スライド体の取り付けが容易であり、加えて、連結部のひずみ調整等のメンテナンスが不要である。
【手続補正１２】
【補正対象書類名】明細書
【補正対象項目名】００１７
【補正方法】変更
【補正の内容】
【００１７】
請求項１記載の空気加熱装置における除塵装置では、前記リンクフレームは回動アームに駆動されて、リンクフレーム自体が上下動しながらスライド体をスライドさせる構成としたので、スライド体とスライド駆動手段の連結部は常に動き、そのため粉塵が連結部に詰まりにくい。